(57)【特許請求の範囲】
【請求項１】
長尺状に構成され、厚さ方向に変形可能な帯部と、
前記帯部の一端側に設けられ、前記帯部の他端を嵌合させることが可能な開口部を有するバックル部と、
第１アンテナとＩＣチップとを備え、面状に構成されて、その厚さ方向が前記バックル部からの前記帯部の延出方向と一致する向きに配置された状態で前記バックル部に封入されたＲＦＩＤタグと、
面状に構成されて、その厚さ方向が前記帯部の厚さ方向と一致する向きに配置された状態で前記帯部の他端側に設けられ、前記第１アンテナと導通又は電磁結合することで前記ＲＦＩＤタグの感度を変化させる第２アンテナと、
を備え、
前記帯部の他端側には、前記帯部の厚さ方向へ突出する突出片が設けられ、
前記開口部には、前記突出片に対応する位置に溝が形成され、
前記帯部の他端を前記開口部に嵌合させる際には、前記突出片が前記溝に沿って前記帯部の幅方向へ変位して前記溝に嵌合するように構成され、
前記帯部の他端を前記開口部に嵌合させることで、前記第１アンテナと前記第２アンテナとを、前記帯部が伸展された場合に比べて両者の導通状態又は電磁結合状態が変化する位置に支持可能に構成されている
封緘具。
【請求項２】
前記第１アンテナと前記第２アンテナとは、前記帯部の内部又は表面を通る導体によって導通されていることを特徴とする請求項１に記載の封緘具。
【請求項３】
前記バックル部に前記帯部の他端を嵌合させた状態である閉鎖状態は、前記帯部の他端又は前記バックル部の一部を破壊した場合に解除可能なことを特徴とする請求項１又は２に記載の封緘具。
【発明の詳細な説明】
【技術分野】
【０００１】
本発明は、封緘を行うために使用される封緘具に関する。
【背景技術】
【０００２】
従来、長尺状に構成され、厚さ方向に変形可能な帯部と、その帯部の両端を係止する係止部とを備えた封緘具が知られている。また、ＲＦＩＤ（Radio Frequency IDentifier）タグを備えた封緘具では、帯部（バンド部）に引き伸ばされた配線を備え、その配線が接続されたことを検出する回路を設けて、バンド部が切断されたことを報知することも考えられている（例えば、特許文献１参照。）。
【先行技術文献】
【特許文献】
【０００３】
【特許文献１】特開２０１４−１１２１３２号公報
【発明の概要】
【発明が解決しようとする課題】
【０００４】
ところが、特許文献１に記載の構成では、帯部（バンド部）が切断されたことを検出するための回路を特別に設ける必要があり、回路構成が複雑化して製造コストが上昇する。このように、ＲＦＩＤタグを備えた封緘具では、簡単な回路構成によって封緘が解除されたことを検出可能とすることが望ましい。
【課題を解決するための手段】
【０００５】
本発明の封緘具は、長尺状に構成され、厚さ方向に変形可能な帯部と、前記帯部の一端側に設けられ、第１アンテナとＩＣチップとを備えたＲＦＩＤタグと、前記帯部の他端側に設けられ、前記第１アンテナと導通又は電磁結合することで前記ＲＦＩＤタグの感度を変化させる第２アンテナと、前記帯部の両端を係止することで、前記第１アンテナと前記第２アンテナとを、前記帯部が伸展された場合に比べて両者の導通状態又は電磁結合状態が変化する位置に支持する係止部と、を備える。
【０００６】
本発明の封緘具は、帯部の両端を係止部で係止することによって、封緘を行うことができる。また、係止部は、その係止によって、帯部の一端側に設けられた第１アンテナと帯部の他端側に設けられた第２アンテナとを、帯部が伸展された場合に比べて両者の導通状態又は電磁結合状態が変化する位置に支持することができる。このため、前記第１アンテナとＩＣチップとを備えたＲＦＩＤタグの感度は、帯部が伸展された場合と、係止部により帯部の両端が係止された場合とで変化する。従って、ＲＦＩＤタグの感度を検出することにより、封緘が解除されたことを検出することができる。また、本発明の封緘具は、既存の封緘具にアンテナを追加して設けるだけで構成することができ、回路構成も簡単になる。
【０００７】
なお、本発明において、前記第１アンテナと前記第２アンテナとは、前記帯部の内部又は表面を通る導体によって導通されていてもよい。その場合、帯部が切断されると前記導体が切断され、第１アンテナと第２アンテナとの導通状態が変化する。このため、帯部が切断された場合もＲＦＩＤタグの感度が変化し、帯部が切断されたことを検出することができる。
【０００８】
また、本発明において、前記係止部による前記帯部の両端の係止状態は、前記帯部の端部又は前記係止部の一部を破壊した場合に解除可能であってもよい。その場合、係止部による帯部両端の係止状態を解除するためには、帯部の端部又は係止部の一部を破壊することが必須となる。このため、第１アンテナと第２アンテナとの導通状態又は電磁結合状態を変化させずに、すなわちＲＦＩＤタグの感度を変化させずに、封緘を解除するのは一層困難になる。従って、ＲＦＩＤタグの感度を検出することにより、封緘が解除されたことを一層良好に検出することができる。
【図面の簡単な説明】
【０００９】
【図１】実施形態の封緘具の開放状態における構成を表す斜視図である。
【図２】その封緘具の開放状態における構成を表す図で、（Ａ）は正面図、（Ｂ）は左側面図、（Ｃ）は右側面図、（Ｄ）は平面図、（Ｅ）は下面図、（Ｆ）は（Ａ）のＩＩＦ−ＩＩＦ線断面図、（Ｇ）は（Ａ）のＩＩＧ−ＩＩＧ線断面図である。
【図３】その封緘具の閉鎖状態における構成を表す図で、（Ａ）は正面図、（Ｂ）は右側面図、（Ｃ）は背面図、（Ｄ）は平面図、（Ｅ）は下面図、（Ｆ）は右上斜視図である。
【図４】図３（Ｅ）のＩＶ部拡大図である。
【図５】前記封緘具における基板の配置を表す概略図であり、（Ａ）は正面図、（Ｂ）は右側面図である。
【図６】前記閉鎖状態における前記基板の構成を表す斜視図である。
【図７】変形例の封緘具における基板の配置を表す概略図であり、（Ａ）は正面図、（Ｂ）は右側面図である。
【発明を実施するための形態】
【００１０】
[実施形態の構成（樹脂部の構成）]
次に、本発明の実施形態を図面と共に説明する。図１に示すように、本実施形態の封緘具１は、立方体状の外形を有するバックル部１０（係止部の一例）と、そのバックル部１０の一端面（上面１０Ａ）から突出したバンド部２０（帯部の一例）とを備えている。このバックル部１０及びバンド部２０は、樹脂にて一体成形されている。
【００１１】
なお、以下の説明においては、必要に応じて図１に併記した上下左右前後の各方向を利用して説明を行う。すなわち、バックル部１０においてバンド部２０が突出された側を上方とし、バンド部２０の幅方向を前後方向とする。前後方向のうち、次に述べる開口部１１が開口した側を前側とする。ただし、これらの各方向は、封緘具１を構成する各部の相対的な位置関係を簡潔に説明するために規定した方向にすぎない。実際に封緘具１が利用されるに当たって、それがどのような方向に向けられるかは任意であり、例えば、図中に示す上下方向が重力との関係で鉛直方向とは一致しない状態で使用されてもかまわない。
【００１２】
バンド部２０は、立方体状の外形を有するバックル部１０の上面１０Ａにおける左側に偏った位置から、上面１０Ａに垂直にバックル部１０の左側面と平行に延びている。また、バンド部２０は、前後方向に、バックル部１０の前後方向の長さよりも小さい一定の幅を有している。なお、図１に示すように、バックル部１０の上面１０Ａからバンド部２０が垂直に延びた状態を、以下、開放状態という。また、バンド部２０は、前後方向を湾曲の軸として（すなわち厚さ方向に）湾曲可能で、前後方向を軸に図１における右回り方向に全体を湾曲されると、バックル部１０に形成された開口部１１に先端部２１を前方から嵌合させることができる。
【００１３】
図１及び図２（Ａ）〜図２（Ｆ）に示すように、開口部１１はバックル部１０の前側面から水平面（すなわち前後左右方向の面）に沿って、バンド部２０の幅よりも大きい深さに切り込まれている。また、バンド部２０の先端部２１は、その先端側端縁から少し間隔を開けた位置に、開放状態において左側に配設される側に突出した厚肉部２１Ａを有し、厚肉部２１Ａよりも基端側に、右方向に突出した突出片２３を有している。このため、先端部２１が開口部１１に嵌合されるときは、厚肉部２１Ａは先端部２１の下側に配設され、突出片２３は先端部２１の上側に配設される。また、突出片２３は、バンド部２０の幅と等しい長辺を有する長方形板状に構成されている。
【００１４】
開口部１１には、厚肉部２１Ａ及び突出片２３に対応する位置に、広幅部１１Ａ及び矩形溝１３が形成されている。広幅部１１Ａは、開口部１１のうち厚肉部２１Ａを受け入れる部分を下方に拡幅した部分である。また、矩形溝１３は、突出片２３をその突出片２３の長手方向（前後方向）に挿入可能に、断面矩形の直線状に延びる溝として構成されている。このため、バンド部２０が前後方向を軸に図１における右回り方向に湾曲され、先端部２１が開口部１１に前方から嵌合すると、厚肉部２１Ａが広幅部１１Ａに嵌合し、突出片２３が矩形溝１３に嵌合する（図３（Ａ）〜図３（Ｆ）参照。）。以下、この状態を閉鎖状態という。
【００１５】
また、開放状態において上下面となる突出片２３の側面には、当該突出片２３から離間しながら前方へ斜めに突出した一対の係止片２３Ａが形成されている。これに対応して、矩形溝１３には、先端部２１が開口部１１の最も奥まで嵌合されたときに係止片２３Ａ，２３Ａを係止するように、矩形溝１３を拡幅して形成された一対の係止凹部１３Ａ，１３Ａが形成されている。図４に示すように、係止片２３Ａ，２３Ａが係止凹部１３Ａ，１３Ａに係止されることによって、先端部２１は前方に移動するのを阻止され、封緘具１は閉鎖状態に維持される。
【００１６】
また、このとき、厚肉部２１Ａは、バックル部１０の内部において下方に開放した直方体状の中空部１７（図２（Ｅ），図２（Ｆ）参照。）に嵌合する。突出片２３は、その嵌合時に係止片２３Ａ，２３Ａと係止凹部１３Ａ，１３Ａとの係合が外れないように、先端部２１の表面から所定距離離れた位置に係止片２３Ａ，２３Ａを支持している。このため、封緘具１は、ひとたびこのような閉鎖状態に維持されると、先端部２１（帯部の端部の一例）又はバックル部１０が破壊されない限り開放状態に戻ることはない。
【００１７】
[実施形態の構成（基板の構成）]
このように構成されたバックル部１０及びバンド部２０には、次のような基板５０が、バックル部１０及びバンド部２０の成形時に封入されている。図５（Ａ），図５（Ｂ）に示すように、バックル部１０には、ＩＣチップ５１とメインアンテナ５２（第１アンテナの一例）とが実装された第１矩形板部５３が封入されている。このＩＣチップ５１とメインアンテナ５２とがＲＦＩＤタグ５４を構成している。第１矩形板部５３は、バックル部１０の上面１０Ａと開口部１１との間に、水平面と平行に封入されている。また、第１矩形板部５３及びＲＦＩＤタグ５４は、矩形溝１３にも露出していない。
【００１８】
また、先端部２１には、多重ループ状のアンテナパターンからなる第１ブーストアンテナ５５（第２アンテナの一例）が形成された第２矩形板部５６が封入されている。この第２矩形板部５６は、開放状態における前後上下方向の平面に沿って封入されている。さらに、第１ブーストアンテナ５５とメインアンテナ５２とは、線状の第２ブーストアンテナ５７（導体の一例）によって接続され、その第２ブーストアンテナ５７は、バンド部２０の長手方向に沿って封入された帯状部５８に支持されている。基板５０は、この第１矩形板部５３と帯状部５８と第２矩形板部５６とを、一体のＰＥＴフィルムの基材で構成したものに、前述のＩＣチップ５１，メインアンテナ５２，第１ブーストアンテナ５５，第２ブーストアンテナ５７を配置して構成されている。
【００１９】
なお、先端部２１では、図５（Ａ）に示すように、バンド部２０のその他の部分よりも薄肉に形成された薄肉部２１Ｂを介して、その先端側に前述の厚肉部２１Ａが形成されている。厚肉部２１Ａよりも更に先端側は、当該厚肉部２１Ａよりも薄肉で、バンド部２０のその他の部分よりも厚肉の中肉部２１Ｃとされている。また、図５（Ｂ）に示すように、厚肉部２１Ａには、係止片２３Ａ，２３Ａと厚さ方向に重畳する部分に矩形の切欠２１Ｄ，２１Ｄが形成されている。帯状部５８は、バンド部２０における切欠２１Ｄ，２１Ｄが形成された部分や薄肉部２１Ｂからも露出しないように配置及び大きさが決定されている。第２矩形板部５６及び第１ブーストアンテナ５５は、各切欠２１Ｄよりも更に先端側に設けられ、厚肉部２１Ａ及び中肉部２１Ｃから露出しないように配置及び大きさが決定されている。
【００２０】
このように構成された基板５０は、封緘具１が閉鎖状態に維持されているときは、図６に示すようにバンド部２０と同様に湾曲し、第１ブーストアンテナ５５がメインアンテナ５２と上下方向に重なる。そのとき、第１ブーストアンテナ５５とメインアンテナ５２との距離は、開口部１１とバックル部１０の上面１０Ａとの距離よりも短い。従って、そのとき、第１ブーストアンテナ５５はメインアンテナ５２と電磁結合し、ＲＦＩＤタグ５４の感度を向上させる。なお、本実施形態では、開放状態ではＲＦＩＤタグ５４の通信距離が一般のＲＦＩＤタグよりも短くなり、閉鎖状態ではＲＦＩＤタグ５４の通信距離が一般のＲＦＩＤタグと同様になるように設計されている。
【００２１】
また、封緘具１では、第１ブーストアンテナ５５及び第２ブーストアンテナ５７は、メインアンテナ５２と導通している。従って、この導通によっても、ＲＦＩＤタグ５４の感度が向上される。
【００２２】
［効果］
このように構成された封緘具１は、コンテナ等の容器と蓋との間にバンド部２０を掛け渡し、先端部２１を開口部１１に嵌合させて閉鎖状態とすることによって取り付けられる。その状態では、ＲＦＩＤタグ５４の感度は、第１ブーストアンテナ５５及び第２ブーストアンテナ５７によって前述のように向上されている。ここで、先端部２１がバックル部１０から取り外されると、メインアンテナ５２は第１ブーストアンテナ５５と電磁結合しなくなるので、ＲＦＩＤタグ５４の感度が低下する。また、バンド部２０が切断されると、第２ブーストアンテナ５７も切断される。すると、メインアンテナ５２は第１ブーストアンテナ５５と導通しなくなるので、ＲＦＩＤタグ５４の感度が低下する。第２ブーストアンテナ５７がバンド部２０と共に切断されると、その第２ブーストアンテナ５７の機能が低下するので、これによってもＲＦＩＤタグ５４の感度が低下する。
【００２３】
このため、封緘具１では、バンド部２０の先端部２１がバックル部１０から取り外されたり、バンド部２０が切断されたりして封緘が解除されたことを、ＲＦＩＤタグ５４の感度を検出することによって良好に検出することができる。また、封緘具１は、当該検出のために新たな回路を設ける必要がなく、第１ブーストアンテナ５５等を設けるだけでよいので、回路構成を簡略化して当該封緘具１の製造コストを低減することができる。また、封緘具１では、ひとたび閉鎖状態に維持されると、バックル部１０又は先端部２１を破壊しない限り開放状態に戻すことはできないので、ＲＦＩＤタグ５４の感度を変化させずに封緘を解除するのは困難である。従って、ＲＦＩＤタグ５４の感度を検出することにより、前記封緘が解除されたことを一層良好に検出することができる。
【００２４】
よって、本実施形態の封緘具１をコンテナ等の封緘に利用すれば、ベルトコンベア等で荷物をチェックする際に、ＲＦＩＤタグ５４の通信状態を検知することで、蓋が開けられるなどの不正があったか否かを判断することができる。また、ＲＦＩＤタグ５４の通信状態を継続的に検出して、蓋の開閉履歴等がメモリに記憶されるようにしてもよい。
【００２５】
[他の実施形態]
なお、本発明は前記実施形態に何ら限定されるものではなく、本発明の要旨を逸脱しない範囲で種々の形態で実施することができる。例えば、先端部２１は、所定の操作をすることで、バンド部２０もバックル部１０も破壊せずにバックル部１０から取り外し可能に構成されてもよい。その場合、封緘具１は再利用可能となる。
【００２６】
また、図７（Ａ），図７（Ｂ）に示すように、第２ブーストアンテナ５７とメインアンテナ５２とは接続されていなくてもよい。この場合でも、第２ブーストアンテナ５７が切断されることで特定周波数の電波に対するＲＦＩＤタグ５４の感度が変化し、封緘が解除されたことを検出することができる。但し、前述のように第２ブーストアンテナ５７とメインアンテナ５２とが接続されていた方が、バンド部２０の切断時におけるＲＦＩＤタグ５４の感度変化は大きくなる。
【００２７】
また、この場合、第１矩形板部５３と帯状部５８とは接続されていなくてもよい。その場合、若干の設計変更を加えれば、バックル部１０及びバンド部２０が樹脂にて成形された後から、第１矩形板部５３及びＲＦＩＤタグ５４を中空部１７を介して装着できるようにすることができる。また、その場合、第１ブーストアンテナ５５、第２ブーストアンテナ５７、第２矩形板部５６及び帯状部５８を、バンド部２０の先端から挿入して装着できるようにすることができる。また、これらの各実施形態において、基板５０は、この第１矩形板部５３と帯状部５８と第２矩形板部５６とを、一体又は別体のガラスエポキシ基板によって構成したものに、前述のＩＣチップ５１，メインアンテナ５２，第１ブーストアンテナ５５，第２ブーストアンテナ５７を配置して構成されてもよい。
【００２８】
さらに、第１矩形板部５３、ＲＦＩＤタグ５４、第１ブーストアンテナ５５、第２ブーストアンテナ５７、第２矩形板部５６及び帯状部５８は、ＦＰＣ（フレキシブル基板）等によって構成され、成形後のバックル部１０及びバンド部２０の表面に貼り付けられてもよい。その場合、貼り付けられるＦＰＣはラミネートフィルム等に封入されていてもよい。さらに、その場合、バックル部１０及びバンド部２０に若干の設計変更を加えることにより、ＦＰＣは閉鎖状態では外部から見えない面に配置されるようにしてもよい。
【００２９】
また、ＲＦＩＤタグ５４は、１つの封緘具１に複数設けられてもよい。また、封緘具１が閉鎖状態とされたときに、第１ブーストアンテナ５５はメインアンテナ５２と電磁結合するのみならず、直接導通してもよい。また、各アンテナの形状は前記実施形態の形状に限定されるものではなく、種々の形状を取り得る。例えば、第２ブーストアンテナ５７がバンド部２０の先端方向に延長されることにより、第１ブーストアンテナとされてもよい。また、本発明における第２アンテナは、第１アンテナと導通又は電磁結合することで、当該第１アンテナの本来の動作を阻害するものであってもよい。
【００３０】
また、帯部の形態も種々に考えられる。例えば、特開２００９−４４０９７号公報に記載のような電線保持具に本発明が適用された場合、電線を外周から囲む帯状の部分が本発明における帯部とされてもよい。すなわち、このような電線保持具における電線を囲む部分を本発明の封緘具としてもよい。同様に、物品が倒れるのを抑制する構成や、瓶の蓋の開放を抑制する構成などにも、本発明は適用可能である。
【符号の説明】
【００３１】
１…封緘具                    １０…バックル部      １１…開口部
１３…矩形溝                  １３Ａ…係止凹部      １７…中空部
２０…バンド部                ２１…先端部          ２３…突出片
２３Ａ…係止片                ５０…基板            ５１…ＩＣチップ
５２…メインアンテナ          ５３…第１矩形板部    ５４…ＲＦＩＤタグ
５５…第１ブーストアンテナ    ５６…第２矩形板部    ５７…第２ブーストアンテナ
５８…帯状部
【図１】
0006586605.tif 000002
【図２】
0006586605.tif 000003
【図３】
0006586605.tif 000004
【図４】
0006586605.tif 000005
【図５】
0006586605.tif 000006
【図６】
0006586605.tif 000007
【図７】
0006586605.tif 000008